(57)【要約】【課題】使用者が設定変更内容の間違いにすばやく気づくことができるようにして端末装置からの設定における使い勝手を向上し、洗濯機の操作性の向上を図る洗濯機制御システムを提供する。【解決手段】外部の端末装置２８と通信を行う洗濯機２９に、洗濯機の運転や通信を制御する制御部３９と、運転コースと予約時間の設定や表示を行う操作表示部３７と、端末装置と通信を行う洗濯機送受信部３８とを備え、端末装置に、運転時間の設定や表示を行う端末操作部３０と、洗濯機と通信を行う端末送受信部３３とを備え、端末装置から洗濯機へ、洗濯機に設定された運転コースの予約設定時間を変更する情報が送信されたとき、制御部は、運転コースの所要時間から逆算して予約設定時間の変更ができない場合、設定できない情報を洗濯機送受信部から端末装置へ送信し、端末装置は、洗濯機送受信部からの情報を受信して端末表示部へ設定できないことを表示する。【選択図】図７
2015080657.tif 000002
【特許請求の範囲】
【請求項１】
外部の端末装置と通信を行う洗濯機に、前記洗濯機の運転や通信を制御する制御部と、運転コースと予約時間の設定や表示を行う操作表示部と、前記端末装置と通信を行う洗濯機送受信部とを備え、前記端末装置に、運転時間の設定や表示を行う端末操作部と、前記洗濯機と通信を行う端末送受信部とを備え、前記端末装置から前記洗濯機へ、前記洗濯機に設定された運転コースの予約設定時間を変更する情報が送信されたとき、前記制御部は、前記運転コースの所要時間から逆算して前記予約設定時間の変更ができない場合、設定できない情報を前記洗濯機送受信部から前記端末装置へ送信し、前記端末装置は、前記洗濯機送受信部からの情報を受信して前記端末操作部へ設定できないことを表示することを特徴とする洗濯機制御システム。
【請求項２】
前記制御部は、前記予約時間を含む予約運転の設定が完了すると、所定時間後に前記操作表示部の設定操作を受け付けなくなるように構成され、前記予約運転の待機中に前記操作表示部から設定を変更する場合、前記操作表示部の所定のスイッチ操作を行ってから変更が可能となり、前記端末装置から設定を変更する場合、前記操作表示部の所定のスイッチ操作を不要とした請求項１記載の洗濯機制御システム。
【発明の詳細な説明】
【技術分野】
【０００１】
本発明は、洗濯兼脱水槽内に投入した衣類を洗濯する洗濯機を制御する制御システムに関するものである。
【背景技術】
【０００２】
従来、この種の洗濯機の制御は、制御部により、例えば、洗い、すすぎ、脱水などの一連のステップの実行をプログラム制御する制御方式が提案されてきた（例えば、特許文献１参照）。
【０００３】
図８は、特許文献１に記載された従来の洗濯機の縦断面図、図９は、同洗濯機のブロック回路図、図１０は、同洗濯機の操作部を示すものである。図８において、洗濯機１は、略長方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。筐体３の上面には衣類等の洗濯物を出し入れする開口を開閉する蓋１０を設けている。
【０００４】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で撹拌翼７へ伝達する。水受け槽４の上には、内蓋１０ａを設けている。また、筐体３の上方には、洗濯兼脱水槽６内に給水する給水弁１１を設けている。また、水受け槽４の下方には、水受け槽４内の洗濯水を排水する排水弁１２を設けている。水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００５】
また、洗濯機１の上面前部には、操作部２を配設し、運転コース等のモードや各種機能の選択は、使用者が操作部２から入力部２６へ入力して行ない、洗濯機１の上面前部内方に設けられた制御部２２が、その入力情報を基に操作部２の表示部２７に表示して使用者に知らせる。
【０００６】
図９において、モータ８は、インバータ回路１５によって駆動され、インバータ回路１５は、６個のスイッチング素子１６Ａ〜１６Ｆを有し、各スイッチング素子１６Ａ〜１６Ｆは、パワートランジスタと逆導通ダイオードとによって構成される並列回路をそれぞれ有している。電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力変換機構９に電圧を供給する。モータ８には、３個の位置検出器２１を設け、各位置検出器２１は、モータ８の回転位置を検出する。
【０００７】
制御部２２は、回転制御部２３を有し、この回転制御部２３は、各位置検出器２１により検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。ポンプ６０と給水弁１１と排水弁１２と動力変換機構９とは、負荷駆動部２５に接続しており、負荷駆動部２５は、制御部２２からの指示に基づいて、ポンプ６０と給水弁１１と排水弁１２と動力変換機構９とをそれぞれ
駆動する。操作部２は、洗い時間、すすぎ回数、脱水時間などを入力する入力部２６と、入力部２６に入力された洗い時間、すすぎ回数、脱水時間などを表示する表示部２７とを有する。
【０００８】
図１０において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチボタン２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。また、入力部２６は、複数の基本運転コースと特別運転コースとのいずれかを選択する運転コース選択スイッチ２６ｈを有し、表示部２７は、複数の基本運転コースと特別運転コースとのそれぞれに対応する複数の運転コース選択表示部２７ｅを有している。ここで、特別運転コースは、入力部２６に入力された洗い時間、すすぎ回数、脱水時間をそれぞれ変更することによって設定する。
【０００９】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１０】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００１１】
上記構成において動作を説明する。運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７ｃに表示される。そして、使用者は、洗い時間表示部２７ａ、すすぎ回数表示部２７ｂ、脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれぞれ複数回押すことによって、特別運転コースを設定する。
【００１２】
その後、制御部２２は、入力部２６によって設定された特別運転コースに基づいて、洗い、すすぎ、脱水の一連のステップを実行するように、駆動回路２４と負荷駆動部２５とを制御する。
【００１３】
なお、これらの運転コースの設定を運転中に変更するためには、洗いステップの運転中に、一時停止を行えば可能である。
【先行技術文献】
【特許文献】
【００１４】
【特許文献１】特開２００２−１１９７８８号公報
【発明の概要】
【発明が解決しようとする課題】
【００１５】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。特に、眼が不自由になってくる高齢者にとっては、苦痛に感じられることもあるという課題があった。
【００１６】
本発明は、前記従来の課題を解決するもので、洗濯機と端末装置との間で送受信の通信機能を持つことにより、使用者が洗濯機の操作部のボタンをいちいち操作することなく、洗濯機から離れた環境の良い場所で端末装置に設定を入力してから洗濯機に送信できるようにした操作性に優れたものであり、かつ、端末装置の操作により予約設定時間の変更を行うときに、予約設定時間が運転コースの所要時間から逆算して設定できない時間の場合、端末装置の表示部に設定できないことを表示することにより、使用者が設定変更内容の間違いにすばやく気づくことができるようにして端末装置からの設定における使い勝手を向上して、より洗濯機の操作性の向上を図る洗濯機制御システムを提供することを目的とする。
【課題を解決するための手段】
【００１７】
前記従来の課題を解決するために、本発明の洗濯機制御システムは、外部の端末装置と通信を行う洗濯機に、前記洗濯機の運転や通信の制御を行う制御部と、運転コースと予約時間の設定や表示を行う操作表示部と、前記端末装置と通信を行う洗濯機送受信部とを備え、前記端末装置に、運転時間の設定や表示を行う端末操作部と、前記洗濯機と通信を行う端末送受信部とを備え、前記端末装置から前記洗濯機へ、前記洗濯機に設定された運転コースの予約設定時間を変更する情報が送信されたとき、前記制御部は、前記運転コースの所要時間から逆算して前記予約設定時間の変更ができない場合、設定できない情報を前記洗濯機送受信部から前記端末装置へ送信し、前記端末装置は、前記洗濯機送受信部からの情報を受信して前記端末操作部へ設定できないことを表示するものである。
【００１８】
これにより、使用者が端末装置から通信することで洗濯機の操作性を向上するとともに、使用者が設定変更内容の間違いにすばやく気づくことができるようにして端末装置からの設定における使い勝手を向上することができる。
【発明の効果】
【００１９】
本発明の洗濯機制御システムは、使用者が端末装置から通信することにより洗濯機の操作性を向上するとともに、予約設定時間の変更ができない場合には端末装置の表示部へ表示を行うこと
により、使用者が設定変更内容の間違いにすばやく気づくことができるようにして端末装置からの設定における使い勝手を向上することができる。
【図面の簡単な説明】
【００２０】
【図１】本発明の実施の形態１における洗濯機制御システムを構成する洗濯機と端末装置の斜視図
【図２】本実施の形態における洗濯機制御システムを構成する洗濯機の側面断面図
【図３】本実施の形態における洗濯機制御システムの洗濯機の操作表示部を示す図
【図４】本実施の形態における洗濯機制御システムのブロック回路図
【図５】本実施の形態における洗濯機制御システムの端末装置の端末操作部を示す図
【図６】本実施の形態における洗濯機制御システムの端末装置の端末操作部を示す図
【図７】本実施の形態における洗濯機制御システムの動作フローチャート
【図８】従来の洗濯機の側面断面図
【図９】従来の洗濯機のブロック回路図
【図１０】従来の洗濯機の操作表示部を示す図
【発明を実施するための形態】
【００２１】
第１の発明の洗濯機制御システムは、外部の端末装置と通信を行う洗濯機に、前記洗濯機の運転や通信を制御する制御部と、運転コースと予約時間の設定や表示を行う操作表示部と、前記端末装置と通信を行う洗濯機送受信部とを備え、前記端末装置に、運転時間の設定や表示を行う端末操作部と、前記洗濯機と通信を行う端末送受信部とを備え、前記端末装置から前記洗濯機へ、前記洗濯機に設定された運転コースの予約設定時間を変更する情報が送信されたとき、前記制御部は、前記運転コースの所要時間から逆算して前記予約設定時間の変更ができない場合、設定できない情報を前記洗濯機送受信部から前記端末装置へ送信し、前記端末装置は、前記洗濯機送受信部からの情報を受信して前記端末操作部へ設定できないことを表示するものである。
【００２２】
これにより、使用者が端末装置から通信することで洗濯機の操作性を向上する使用者が設定変更内容の間違いにすばやく気づくことができるようにして端末装置からの設定における使い勝手を向上することができる。
【００２３】
第２の発明は、第１の発明において、前記制御部は、前記予約時間を含む予約運転の設定が完了すると、所定時間後に前記操作表示部の設定操作を受け付けなくなるように構成され、前記予約運転の待機中に前記操作表示部から設定を変更する場合、前記操作表示部の所定のスイッチ操作を行ってから変更が可能となり、前記端末装置から設定を変更する場合、前記操作表示部の所定のスイッチ操作を不要としたものである。これにより、制御部は、端末装置から設定を変更する場合、一旦予約を解除する等の操作表示部の所定の操作なしで情報を受信し、使用者が端末装置で簡単に設定変更が行え、端末装置からの設定における使い勝手を向上することができる。
【００２４】
以下、発明の実施の形態について、図面を参照しながら説明する。なお、従来例と同じ構成のものは同一符号を付して説明を省略する。また、この実施の形態によって本発明が限定されるものではない。
【００２５】
（実施の形態１）
図１は、本発明の実施の形態１における洗濯機制御システムを構成する洗濯機と端末装置の斜視図である。図２は、本実施の形態における洗濯機制御システムを構成する洗濯機の側面断面図である。図３は、本実施の形態における洗濯機制御システムの洗濯機の操作表示部を示す図である。
【００２６】
図１から図３において、洗濯機２９と端末装置２８とは、無線による通信にて接続されて洗濯機制御システムを構成する。使用者は、洗濯機２９の操作表示部３７の入力部２６から操作して、表示部２７にて設定内容を確認して制御することができるとともに、端末装置２８の端末操作部３０の端末入力部３５から操作して端末表示部３４にて設定内容を確認し、洗濯機２９に送信して洗濯機２９を制御することもできる。そのため、端末装置２８に、洗濯機２９の運転コースを設定するためのネットコース設定を行う端末操作部３０と、洗濯機２９と情報をやり取りする端末送受信部３３とを有し、洗濯機２９の操作表示部３７に、端末装置２８と情報をやり取りする洗濯機送受信部３８を有している。なお、この洗濯機２９の操作表示部３７は水平面ではなく、傾斜面に設けられている。また、洗濯機２９の上面前部内方には、洗濯機２９の運転や通信を制御する制御部３９が配設さ
れている。
【００２７】
また、図２において、筐体３の上部内側に、洗濯機２９の上面に設けられた蓋１０の閉止を固定する蓋ロック装置６０が設けられている。蓋ロック装置６０は、運転中に蓋１０が開けられないように閉止し、運転中に蓋１０を開ける必要があるときには、操作表示部３７を操作して運転を一時停止する必要がある。予約運転が設定された後の待機中においても、予期しない洗濯物が投入されないように、所定の操作を行わなければ蓋１０が開かないように構成されている。
【００２８】
図３を用いて、操作表示部３７の詳細を説明する。操作表示部３７の入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、予約運転時間を設定する予約時間設定スイッチ２６ｋ、スタート・一時停止スイッチ２６ｅ、電源入りスイッチ２６ｆ、電源切りスイッチ２６ｇなどを有するとともに、既存コース選択スイッチ２６ｉを有している。
【００２９】
既存コース選択スイッチ２６ｉで洗濯機２９が実行可能なコースのうちの一つを選択し、スタート・一時停止スイッチ２６ｅで運転開始を指示することができる。また、既存コース選択スイッチ２６ｉで選択したコースの洗い時間、すすぎ回数、脱水時間を、洗い時間設定スイッチ２６ａ、すすぎ回数設定スイッチ２６ｂ、脱水時間設定スイッチ２６ｃを押すことによって、変更設定して運転することもできる。
【００３０】
表示部２７は、洗い時間表示部２７ａ、すすぎ回数表示部２７ｂ、脱水時間表示部２７ｃ、乾燥時間表示部２７ｄ、運転コース選択表示部２７ｅ、デジタル表示部２７ｇなどを有するとともに、端末装置２８にてネットコースが選択された場合に点灯するネットコース表示部２７ｆを有している。なお、デジタル表示部２７ｇは、布量検知した時の布量に応じた必要洗剤量や運転状態の残時間などを表示したり、予約設定スイッチ２６ｋを押して運転終了時間を今時点から好みの時間後に設定する時の時間を表示したりする。
【００３１】
さらに、洗濯機送受信部３８を有しており、ネットコースの内容を入力して設定した端末装置２８をこの洗濯機送受信部３８に近づけると、端末装置２８に設けた端末送受信部３３によってネットコースの内容を表す情報が送信され、洗濯機２９に入力される。なお、端末装置２８に設けられた端末送受信部３３と洗濯機２９に設けられた洗濯機送受信部３８とは、たとえば、近年携帯電話などに利用されている近距離無線通信技術のＮＦＣ（Ｎｅａｒ  Ｆｉｅｌｄ  Ｃｏｍｍｕｎｉｃａｔｉｏｎ）に基づいて情報を送受信する。
【００３２】
図４は、本実施の形態における洗濯機制御システムのブロック回路図である。図５は、本実施の形態における洗濯機制御システムの端末装置の端末操作部を示す図である。端末装置２８は、端末操作部３０を備えている。端末操作部３０は、洗濯機２９の運転コースを設定するためのネットコース設定部３１と、ネットコースの内容を表す情報の転送開始を指示するための転送開始ボタン３２とを有している。
【００３３】
ネットコース設定部３１は、端末表示部３４と端末入力部３５を有し、タッチパネルで構成されている。これにより、端末表示部３４に、ネットコースで設定されている洗い、すすぎ、脱水のステップ、および予約時間設定の内容が表示される。端末入力部３５によって、これらの設定内容を変更できる。そして、これらのステップと予約時間のうち、少なくとも１つの内容を変更することによって、洗濯機２９によって実行されるネットコースの内容を設定する。
【００３４】
端末送受信部３３は、ネットコース設定部３１によって設定されたネットコースの設定
内容の情報を、無線による通信にて、洗濯機送受信部３８に送信する。端末装置２８は、端末操作部３０と端末送受信部３３へ電圧を供給する電源を有する。電源は、送信する際のエネルギーを用いて電力供給を行うＮＦＣ等での動作や、別途電源を持って電池によって構成してもよい。運転状態判定手段３６は、端末送受信部３３によって受信した情報によって、洗濯機２９の運転状態を判定するものである。
【００３５】
洗濯機２９の制御部３９は、不揮発性メモリによる記憶部４０を有する。記憶部４０は、洗濯機送受信部３８によって受信されたネットコースの設定内容の情報を記憶している。また、制御部３９は、洗濯機送受信部３８によって受信され、記憶部４０に記憶されたネットコースの設定内容の情報に基づいて、洗い、すすぎ、脱水の一連のステップの実行をプログラム制御する。また、各スイッチの操作を受け付けないキーロック機能を有し、運転中や予約運転待機中、キーロック機能と蓋ロック装置６０を作動させる。このときに設定を変更するためには、操作表示部３７のスタート・一時停止スイッチ２６ｅを押して運転を一時停止したり、一旦予約を解除したりするなど、所定の操作を行なわなければならないように構成されている。
【００３６】
図６は、本実施の形態における洗濯機制御システムの端末装置の端末操作部を示す図で、端末装置２８の予約時間の設定不可の文字を表示した状態を示すものである。図５と図６において、端末装置２８の端末操作部３０の電源ボタン６１を押した後、ネットコース設定部３１にて、端末入力部３５の切換ボタン３５ａ、３５ｂ、３５ｃ、３５ｄを押すことにより、ネットコースの洗い時間、すすぎ回数、脱水時間、予約時間を設定することができ、その設定内容を端末表示部３４で確認することができる。そして、端末装置２８を洗濯機２９の洗濯機送受信部３８に近づけることにより、端末装置２８で設定したネットコースの内容の情報を洗濯機２９に送信することができる。転送開始ボタン３２および図６の設定不可の文字の表示については、後述する図７の動作フローチャートにて説明する。なお、端末装置２８は、携帯電話やスマートフォンで代用可能であり、専用のアプリケーションソフトウエアにより対応することで、その動作を行うこともできる。
【００３７】
以上のように構成された洗濯機制御システムについて、その動作、作用を説明する。図７は、本発明の実施の形態における洗濯機制御システムの動作フローチャートである。図７において、洗濯機２９は、電源が入れられて所定の運転コースが設定され、予約運転が設定された状態にある（ステップＳ１１）。なお、予約運転が設定されると、所定時間後にキーロック機能と蓋ロック装置６０が作動する（ステップＳ１１ａ）。
【００３８】
端末装置２８は、端末操作部３０に設けられた電源ボタン６１が押されると、図５に示すように、ネットコースの初期設定内容がネットコース設定部３１の端末表示部３４に表示される（ステップＳ２１）。つぎに、ネットコースの初期設定内容から洗い時間、すすぎ回数、脱水時間、予約設定時間のいずれかを変更するかを判定する（ステップＳ２２）。以降、ステップＳ２３で予約設定時間が変更された場合を示す。図５に示す例では、端末入力部３５であるタッチパネルに使用者がタッチすることによって、予約設定時間「６時間」が設定された例を示している。
【００３９】
このあと、使用者が転送開始ボタン３２を押す（ステップＳ２４）と、ＮＦＣの場合には、端末装置２８を洗濯機送受信部３８に近づける（ステップＳ２５）ことで、端末送受信部３３より予約設定時間の変更を含む設定内容の情報が送信される（ステップＳ２６）。
【００４０】
そして、洗濯機２９は洗濯機送受信部３８により設定内容の情報を受信する（ステップＳ１２）。洗濯機２９は、変更された予約設定時間が設定されている運転コースの所要時間に鑑み、逆算して変更可能かを判断する（ステップＳ１３）。もし、予約時間を変更す
ることができない状況の場合（ステップＳ１３でＮｏ）、洗濯機２９はただちに洗濯機送受信部３８から変更不可の情報を送信する（ステップＳ１４）。予約設定時間の変更が可能な場合、変更が可能である情報を端末装置２８に送信し（ステップＳ１５）、記憶部４０に予約設定時間の情報を変更して記憶し（ステップＳ１６）、予約設定時間と運転コースから計算した運転開始時間になると（ステップＳ１７でＹｅｓ）、運転シーケンスを開始する（ステップＳ１８）。
【００４１】
端末装置２８は、洗濯機２９から変更可否の情報を受信し（ステップＳ２７）、変更不可の情報を受信した場合（ステップＳ２８でＹｅｓ）、端末表示部３４に設定不可の文字を表示する（ステップＳ２９）。変更可能の情報を受信しなかった場合（ステップＳ２８でＮｏ）、端末表示部３４に運転コースの内容を表示する（ステップＳ３０）。なお、洗濯機２９は、設定の変更が可能な場合はその旨の送信をせずに、端末装置２８は、所定時間内に変更不可の受信がなければそのまま設定不可の文字を表示しないようにしてもよい。
【００４２】
以上のように本実施の形態においては、洗濯機と端末装置で情報の通信を行なって一連のステップの実行を設定して制御することで、洗濯機の操作性を向上することができる。さらに、洗濯機の予約時間が設定された後に、端末装置から洗濯機へ予約設定時間を変更する情報が送信されたとき、制御部は、操作表示部３７の所定の操作なしで情報を受信する。そして、制御部は、運転コースの所要時間から逆算して予約設定時間の変更ができない場合、設定できない情報を端末装置へ送信し、端末装置は、端末表示部へ設定できないことを表示する。このようにして、使用者が端末装置で簡単に設定変更が行えるようにするとともに、設定変更内容の間違いにすばやく気づくことができるようにして、端末装置からの設定における使い勝手を向上することができる。
【００４３】
また、従来、運転コースの設定を運転中に変更するためには、洗いステップの運転中に一時停止を行う必要があり、洗濯兼脱水槽は停止し、蓋ロック装置も解除する必要があった。しかし、本実施の形態の構成によれば、制御部は、一時停止等の操作表示部の所定の操作なしで情報を受信し、運転を停止しなくても設定変更が可能である。
【００４４】
なお、本実施の形態では、端末装置を洗濯機の洗濯機送受信部に近づけて通信する制御システムを述べたが、これに限られるものではなく、赤外線または電波を利用した短距離無線通信技術、あるいはインターネット等の通信ネットワークなどによって接続されてもよい。また、通信形態は無線に限られるものではなく、ケーブルで接続されてもよい。
【産業上の利用可能性】
【００４５】
以上のように、本発明にかかる洗濯機制御システムは、端末装置から予約設定時間を変更する場合、変更する予約設定時間が運転コースから逆算して変更できない時、端末装置へ内容を表示することにより洗濯機の操作性を向上することができるので、端末装置を使用して情報の通信を行なう他の電気機器の用途に適用できる。
【符号の説明】
【００４６】
２８  端末装置
２９  洗濯機
３０  端末操作部
３３  端末送受信部
３４  端末表示部
３５  端末入力部
３７  操作表示部
３８  洗濯機送受信部
３９  制御部
【図１】
2015080657.tif 000003
【図２】
2015080657.tif 000004
【図３】
2015080657.tif 000005
【図４】
2015080657.tif 000006
【図５】
2015080657.tif 000007
【図６】
2015080657.tif 000008
【図７】
2015080657.tif 000009
【図８】
2015080657.tif 000010
【図９】
2015080657.tif 000011
【図１０】
2015080657.tif 000012